(57)【特許請求の範囲】
【請求項１】
シャフトを保持する軸受けと、前記軸受けを圧入により固定するハウジングと、前記ハウジングに熱溶着固定するステータコアと、前記ステータコアに電線を巻回するコイルと、前記コイルの配線をするステータＰ板を有するモータ装置であって、前記ステータＰ板上の前記コイルの各々の配線部が、半田付けが可能な大きさを有し、全ての配線部が前記シャフトを中心として１８０度以下の範囲内に位置し、前記ステータＰ板と前記ハウジングとの溶着部を２ヶ所に設け、前記ステータＰ板と前記ハウジングとの２ヶ所の溶着部は、前記ステータＰ板に設ける２ヶ所の穴の一方を三角穴として前記ハウジングの溶着部ボスと３点接触して嵌合溶着し、他方を長穴として前記ハウジングの溶着部ボスと２点接触して嵌合溶着することを特徴とするモータ装置。
【請求項２】
前記溶着部は、シャフトを中心として９０度以上１８０度以下の範囲内にあることを特徴とする請求項１記載のモータ装置。
【発明の詳細な説明】
【０００１】
【発明の属する技術分野】
本発明は、磁気記録再生装置等の電気機器に用いることができるモータ装置に関するものである。
【０００２】
【従来の技術】
以下に従来のモータ装置について説明する。図４は磁気記録再生装置に用いられている従来のモータ装置の断面図、図５は部分拡大平面図を示すものである。１は磁気テープをピンチローラの圧着により駆動するシャフト、２はシャフト１を境界潤滑にて保持する含油軸受け、３は含油軸受け２を圧入により固定するハウジング、４はハウジング３に熱溶着固定するターミナルホルダー、５はターミナルホルダー４に熱溶着保持するステータコア、５ａはステータコア５に電線を巻回するコイル、４ａはコイル５ａとステータＰ板６の繋ぎ配線するターミナル端子、７はステータコア５との吸引反発で回転トルクを発生させるロータマグネットである。
【０００３】
以上のように構成された従来のモータ装置について、以下にその動作について説明する。ステータＰ板６→ターミナル端子４ａ→コイル５ａの経路で駆動用の電流が流れ、ステータコア５にて磁界を作り、ロータマグネット７との吸引反発により回転トルクを発生させ、含油軸受け２で境界潤滑にて保持されているシャフト１が回転し、テープを駆動する。
【０００４】
【発明が解決しようとする課題】
しかしながら上記の従来の構成では、ターミナルホルダー４にステータＰ板６を３ヶ所で溶着固定するが、ターミナルホルダー４のボスピッチ及び径精度、ステータＰ板６の穴ピッチ及び径精度の限界によりステータＰ板６の穴とターミナルホルダー４のボスとの間には隙間を大きく取る必要がある。この場合、溶着工法のバラツキによりステータＰ板６とターミナルホルダー４とは隙間があるため可動領域が生じ、コギング，リップル成分と共振し、モータの異常音が発生する。
【０００５】
また、ターミナルホルダー４に圧入固定するターミナル端子４ａを１２０度均一間隔に３ヶ所で配線することにより、ターミナルホルダー４とステータＰ板６を３ヶ所で熱溶着しなければならないため、ステータＰ板６が大きくなりコストアップになっている。このように、性能面とコスト面に問題点を有していた。
【０００６】
本発明は上記従来の問題点を解決するもので、モータの異常音がなく、加工費の削減を図ったモータ装置を提供することを目的とする。
【０００７】
【課題を解決するための手段】
この目的を達成するために本発明のモータ装置は、シャフトを保持する軸受けと、軸受けを圧入により固定するハウジングと、ハウジングに熱溶着固定するステータコアと、ステータコアに電線を巻回するコイルと、コイルの配線をするステータＰ板を有するモータ装置であって、ステータＰ板上のコイルの各々の配線部が、半田付けが可能な大きさを有し、全ての配線部がシャフトを中心として１８０度以下の範囲内に位置し、ステータＰ板とハウジングの溶着部を２ヶ所に設け、ステータＰ板とハウジングとの２ヶ所の溶着部は、ステータＰ板に設ける２ヶ所の穴の一方を三角穴としてハウジングの溶着部ボスと３点接触して嵌合溶着し、他方を長穴としてハウジングの溶着部ボスと２点接触して嵌合溶着する構成を有する。
【０００８】
この構成によって、ステータＰ板の小型化及び加工費を削減したモータ装置を提供することができる。
【０００９】
【発明の実施の形態】
本発明の請求項１に記載の発明は、シャフトを保持する軸受けと、軸受けを圧入により固定するハウジングと、ハウジングに熱溶着固定するステータコアと、ステータコアに電線を巻回するコイルと、コイルの配線をするステータＰ板を有するモータ装置であって、ステータＰ板上のコイルの各々の配線部が半田付けが可能な大きさを有し全ての配線部がシャフトを中心として１８０度以下の範囲内に位置し、ステータＰ板とハウジングの溶着部を２ヶ所に設けたことを特徴としたものであり、これによりステータＰ板の小型化を実現でき、熱溶着部が２ヶ所になるため加工費を削減できるという作用を有する。
【００１０】
本発明の請求項２に記載の発明は、ステータＰ板とハウジングとの２ヶ所の溶着部は、ステータＰ板に設ける２ヶ所の穴の一方を三角穴としてハウジングの溶着部ボスと３点接触して嵌合溶着し、他方を長穴としてハウジングの溶着部ボスと２点接触して嵌合溶着することを特徴としたものであり、３点接触及び２点接触の計５点の線接触とすることにより、手動による軽圧入ができ径方向及び回転方向の規制が可能であるためモータの異常音がないという作用を有する。
【００１１】
本発明の請求項３に記載の発明は、ステータＰ板とハウジングとの２ヶ所の溶着部は、シャフトを中心として９０度以上１８０度以下の範囲内にあることを特徴としたものであり、ステータＰ板をシャフトに対して垂直に安定して熱溶着ができるという作用を有する。
【００１２】
以下、本発明のモータ装置の実施の形態について、図を用いて説明する。
【００１３】
（実施の形態１）
図１は本発明の実施の形態１におけるモータ装置の断面図、図２は図１の部分拡大平面図、図３は本発明の実施の形態１におけるステータＰ板穴形状の詳細図を示すものである。１１は磁気テープをピンチローラの圧着により駆動するシャフト、１２はシャフト１１を境界潤滑にて保持する軸受けである含油軸受け、１３は含油軸受け１２を圧入により固定するハウジング、１５はハウジングに熱溶溶着保持するステータコア、１５ａはステータコア１５に電線を巻回するコイル、１６はステータＰ板、１６ａはステータＰ板１６の回転方向の位置規制をする長穴、１６ｂはステータＰ板１６の径方向の位置規制をする三角穴、１７はステータコア１５との吸引反発で回転トルクを発生させるロータマグネット、１８はステータＰ板１６の配線部、１９はステータＰ板１６とハウジング１３との熱溶着部である。
【００１４】
以上のように構成されたモータ装置について、その動作を説明する。ステータＰ板１６上のコイル１５ａの各々の配線部１８が半田付けが可能な大きさを有し全ての配線部１８がシャフト１１を中心として１８０度以下の範囲内に位置する。このためステータＰ板１６の小型化を実現できる。またステータＰ板１６とハウジング１３との溶着部を２ヶ所に設けている。このため溶着部を３ヶ所に設けていた場合に比べ加工費を削減できる
また、ステータＰ板１６の回転方向の位置規制をするため、ステータＰ板１６に長穴１６ａを設けハウジング１３の溶着部ボスと２点接触して嵌合溶着し、さらに、径方向の位置規制をするため、ステータＰ板１６に三角穴１６ｂを設けハウジングの溶着部ボスと３点接触して嵌合溶着する。３点接触及び２点接触の計５点の線接触とすることにより、手動による軽圧入ができ径方向及び回転方向の規制が可能であるためモータの異常音がない。
【００１５】
さらに、ステータＰ板１６とハウジング１３との２ヶ所の溶着部は、シャフト１１を中心として９０度以上１８０度以下の範囲内で設ける。このためステータＰ板１６をシャフト１１に対して垂直に安定して熱溶着ができる。９０度以上としたのは、ハウジング１３に安定且つ位置精度を出すためである。また１８０度以下としたのは、もし熱溶着部１９がシャフト１１を中心として１８０度より大きい場合にはステータＰ板１６が熱溶着部１９を包含するために大きな面積を必要とし経済的でないからである。
【００１６】
尚、その他の動作については、従来例と同様である。
【００１７】
以上のように本実施の形態によれば、ステータＰ板１６の小型化を実現でき、加工費を削減でき、ステータＰ板１６にハウジング１３の溶着部ボスを手動により軽圧入ができ、径方向及び回転方向の規制が可能であるためモータの異常音がなく、ステータＰ板１６をシャフト１１に対して垂直に安定して熱溶着ができる。
【００１８】
【発明の効果】
以上のように本発明は、ステータＰ板上のコイルの各々の配線部が半田付けが可能な大きさを有し全ての配線部がシャフトを中心として１８０度以下の範囲内に位置していることにより、ステータＰ板の小型化を実現できるという優れた効果が得られる。
【００１９】
また、ステータＰ板とハウジングとの溶着部を２ヶ所に設けていることにより、溶着部を３ヶ所に設けていた場合に比べ加工費を削減できるという優れた効果が得られる。
【００２０】
さらに、ステータＰ板の回転方向の位置規制をするため、ステータＰ板に長穴を設けハウジングの溶着部ボスと２点接触して嵌合溶着し、さらに、径方向の位置規制をするため、ステータＰ板に三角穴を設けハウジングの溶着部ボスと３点接触して嵌合溶着し計５点の線接触とすることにより、手動による軽圧入ができ径方向及び回転方向の規制が可能であるためモータの異常音がないという優れた効果が得られる。
【００２１】
また、ステータＰ板とハウジングとの２ヶ所の溶着部は、シャフトを中心として９０度以上１８０度以下の範囲内で設けることにより、ステータＰ板をシャフトに対して垂直に安定して熱溶着ができるという優れた効果が得られる。
【図面の簡単な説明】
【図１】本発明の実施の形態１におけるモータ装置の断面図
【図２】図１の部分拡大平面図
【図３】本発明の実施の形態１におけるステータＰ板穴形状の詳細図
【図４】従来のモータ装置の断面図
【図５】図４の部分拡大平面図
【符号の説明】
１１  シャフト
１２  含油軸受け
１３  ハウジング
１５  ステータコア
１５ａ  コイル
１６  ステータＰ板
１６ａ  ステータＰ板長穴
１６ｂ  ステータＰ板三角穴
１７  ロータマグネット
１８  ステータＰ板の配線部
１９  ステータＰ板とハウジングとの熱溶着部
【図１】
0003941472.tif 000002
【図２】
0003941472.tif 000003
【図３】
0003941472.tif 000004
【図４】
0003941472.tif 000005
【図５】
0003941472.tif 000006